(57)【要約】【課題】従来手法の場合、表示装置で消費される電力を確実に低下できない。【解決手段】入力映像信号を蓄積するフレームメモリと、フレームメモリに蓄積された入力映像信号を符号化ブロック単位に分割するエリア分割部と、各符号化ブロックに対応する入力映像信号の標準偏差値を算出する標準偏差算出部と、標準偏差値が閾値未満の場合、対応する符号化ブロックをブロックノイズ領域と判定するブロックノイズ領域判定部と、非ブロックノイズ領域と判定された符号化ブロックの入力映像信号については入力時のまま出力する一方で、ブロックノイズ領域と判定された符号化ブロックの入力映像信号については、当該入力映像信号に比して階調値の小さい単階調信号に置換して出力する映像信号出力部とを有する消費電力削減装置を提案する。【選択図】図１
2008046346.tif 000002
【特許請求の範囲】
【請求項１】
入力映像信号を蓄積するフレームメモリと、
前記フレームメモリに蓄積された入力映像信号を符号化ブロック単位に分割するエリア分割部と、
各符号化ブロックに対応する入力映像信号の標準偏差値を算出する標準偏差算出部と、
前記標準偏差値が閾値未満の場合、対応する符号化ブロックをブロックノイズ領域と判定するブロックノイズ領域判定部と、
非ブロックノイズ領域と判定された符号化ブロックの入力映像信号については入力時のまま出力する一方で、ブロックノイズ領域と判定された符号化ブロックの入力映像信号については、当該入力映像信号に比して階調値の小さい単階調信号に置換して出力する映像信号出力部と
を有することを特徴とする消費電力削減装置。
【請求項２】
請求項１に記載の消費電力削減装置において、
前記単階調信号は、ブロックノイズ領域と判定された符号化ブロックの全てに共通する値として設定される
ことを特徴とする消費電力削減装置。
【請求項３】
請求項２に記載の消費電力削減装置において、
前記共通する値は、黒レベルを与える階調値である
ことを特徴とする消費電力削減装置。
【請求項４】
請求項２に記載の消費電力削減装置において、
前記共通する値は、ブロックノズル領域と判定された各符号化ブロックの平均階調値より各符号化ブロックの標準偏差値だけそれぞれ小さい値以下に設定される
ことを特徴とする消費電力削減装置。
【請求項５】
請求項１に記載の消費電力削減装置において、
前記共通する値は、ブロックノズル領域と判定された全ての符号化ブロックの平均階調値より当該符号化ブロック全体の標準偏差値だけ小さい値以下に設定される
ことを特徴とする消費電力削減装置。
【請求項６】
請求項１に記載の消費電力削減装置は、
各符号化ブロックに対応する入力映像信号の平均階調値を算出する平均値算出部を有し、
前記ブロックノズル領域判定部は、前記平均階調値が閾値未満かつ前記標準偏差値が閾値未満の場合に、対応する符号化ブロックをブロックノイズ領域と判定する
ことを特徴とする消費電力削減装置。
【請求項７】
請求項１に記載の消費電力削減装置において、
前記入力映像信号は、実時間伝送される放送波信号又はストリーミング信号である
ことを特徴とする消費電力削減装置。
【請求項８】
請求項１に記載の消費電力削減装置において、
前記入力映像信号は、記録媒体の再生映像信号である
ことを特徴とする消費電力削減装置。
【請求項９】
入力映像信号を蓄積するフレームメモリと、
前記フレームメモリに蓄積された入力映像信号を符号化ブロック単位に分割するエリア分割部と、
各符号化ブロックに対応する入力映像信号の標準偏差値を算出する標準偏差算出部と、
前記標準偏差値が閾値未満の場合、対応する符号化ブロックをブロックノイズ領域と判定するブロックノイズ領域判定部と、
非ブロックノイズ領域と判定された符号化ブロックの入力映像信号については入力時のまま出力する一方で、ブロックノイズ領域と判定された符号化ブロックの入力映像信号については、当該入力映像信号に比して階調値の小さい単階調信号に置換して出力する映像信号出力部と、
前記映像信号出力部より入力映像信号又は単階調信号が供給される表示デバイスと
を有することを特徴とする表示装置。
【請求項１０】
入力映像信号を蓄積するフレームメモリと、
前記フレームメモリに蓄積された入力映像信号を符号化ブロック単位に分割するエリア分割部と、
各符号化ブロックに対応する入力映像信号の標準偏差値を算出する標準偏差算出部と、
前記標準偏差値が閾値未満の場合、対応する符号化ブロックをブロックノイズ領域と判定するブロックノイズ領域判定部と、
非ブロックノイズ領域と判定された符号化ブロックの入力映像信号については入力時のまま出力する一方で、ブロックノイズ領域と判定された符号化ブロックの入力映像信号については、当該入力映像信号に比して階調値の小さい単階調信号に置換して出力する映像信号出力部と
を有することを特徴とする画像処理装置。
【請求項１１】
フレームメモリに蓄積された入力映像信号を符号化ブロック単位に分割する処理と、
各符号化ブロックに対応する入力映像信号の標準偏差値を算出する処理と、
前記標準偏差値が閾値未満の場合、対応する符号化ブロックをブロックノイズ領域と判定する処理と、
非ブロックノイズ領域と判定された符号化ブロックの入力映像信号については入力時のまま出力する処理と、
ブロックノイズ領域と判定された符号化ブロックの入力映像信号については、当該入力映像信号に比して階調値の小さい単階調信号に置換して出力する処理と
を有することを特徴とする消費電力削減方法。
【請求項１２】
コンピュータに、
フレームメモリに蓄積された入力映像信号を符号化ブロック単位に分割する処理と、
各符号化ブロックに対応する入力映像信号の標準偏差値を算出する処理と、
前記標準偏差値が閾値未満の場合、対応する符号化ブロックをブロックノイズ領域と判定する処理と、
非ブロックノイズ領域と判定された符号化ブロックの入力映像信号については入力時のまま出力する処理と、
ブロックノイズ領域と判定された符号化ブロックの入力映像信号については、当該入力映像信号に比して階調値の小さい単階調信号に置換して出力する処理と
を実行させることを特徴とするコンピュータプログラム。
【発明の詳細な説明】
【技術分野】
【０００１】
この明細書で説明する発明は、ブロック符号化されて伝送又は録画される映像信号を復号化して表示する表示装置において消費される電力の削減技術に関する。
なお、発明者らが提案する発明は、消費電力削減装置、表示装置、画像処理装置、消費電力削減方法及びコンピュータプログラムとしての側面を有する。
【背景技術】
【０００２】
今日、様々な表示装置が開発されている。例えば液晶表示装置、プラズマ表示装置、有機ＥＬ表示装置、フィールドエミッション表示装置、プロジェクタ装置（投写型及び背面型を含む。）その他の表示装置が開発されている。いずれの表示装置の場合にも、消費電力の更なる削減が検討されており、様々な技術が従来より提案されている。
【０００３】
【特許文献１】特開２００３−１３４４１８号公報
【特許文献２】特開２００２−３５１３８９号公報  これらの特許文献には、平均輝度が低い表示画面ではピーク輝度を高くし、平均輝度が高い表示画面ではピーク輝度を低くする手法が開示されている。
【発明の開示】
【発明が解決しようとする課題】
【０００４】
ところが、入力映像信号に依存してピーク輝度を制御する方法は、表示装置で消費される電力を確実に低下できるとは限らない。
【課題を解決するための手段】
【０００５】
そこで発明者らは、（Ａ）入力映像信号を蓄積するフレームメモリと、（Ｂ）フレームメモリに蓄積された入力映像信号を符号化ブロック単位に分割するエリア分割部と、（Ｃ）各符号化ブロックに対応する入力映像信号の標準偏差値を算出する標準偏差算出部と、（Ｄ）標準偏差値が閾値未満の場合、対応する符号化ブロックをブロックノイズ領域と判定するブロックノイズ領域判定部と、（Ｅ）非ブロックノイズ領域と判定された符号化ブロックの入力映像信号については入力時のまま出力する一方で、ブロックノイズ領域と判定された符号化ブロックの入力映像信号については、当該入力映像信号に比して階調値の小さい単階調信号に置換して出力する映像信号出力部とを搭載する消費電力削減装置を提案する。
【０００６】
この消費電力削減装置は、ブロックノイズ領域を検出し、対応する符号化ブロック部分の表示を単色ベタ画面に置換する。勿論、置換処理により、対応領域の画質は低下する。
しかし、単階調信号の階調値は置換対象とする入力映像信号の階調値よりも小さいので、画像の表示に伴い消費される電力を確実に低減することができる。
【発明の効果】
【０００７】
発明者らの提案する技術手法によれば、符号化時や復号化時に出現するブロックノイズを積極的に利用して表示画像を単純化することができ（該当領域の全黒表示も含む。）、該当画像の表示に際して消費される電力を確実に低減することができる。
【発明を実施するための最良の形態】
【０００８】
以下、発明に係る消費電力の低減技術を説明する。
なお、本明細書で特に図示又は記載されない部分には、当該技術分野の周知又は公知技術を適用する。
また以下に説明する形態例は、発明の一つの形態例であって、これらに限定されるものではない。
【０００９】
（Ａ）形態例
（Ａ−１）消費電力削減装置の機能構成
図１に、消費電力削減装置１の機能構成例を示す。消費電力削減装置１は、フレームメモリ３、エリア分割部５、ノイズ領域判定部７及び映像信号出力部９で構成される。
【００１０】
フレームメモリ３は、ブロックノイズの判定処理用に１フレーム分の入力映像信号を蓄積する記憶領域又は記憶デバイスである。この形態例の場合、物理的な記憶媒体には、半導体メモリを使用する。
【００１１】
なお、この形態例における入力映像信号は、リアルタイムで受信される放送波やストリーミング信号を復号化した信号を想定する。また、ここでの入力映像信号は、所定のフォーマットで圧縮符号化されたディジタル信号であるものとする。例えばＭＰＥＧ（Moving Picture Experts Group）フォーマットやＪＰＥＧ（Joint Photographic Experts
Group）フォーマットを想定する。
【００１２】
エリア分割部５は、フレームメモリ３から入力映像信号を読み出して符号化ブロック単位に分割する処理デバイスである。ここでの分割サイズは、符号化時のブロックサイズに一致する。すなわち、分割サイズは、入力映像信号の符号化フォーマットに依存する。
【００１３】
現在多く用いられている圧縮符号化方式では、８×８画素又は１６×１６画素のブロック単位で符号化される。図２に、水平方向及び垂直方向のそれぞれが８画素で構成される符号化ブロックの例を示す。
【００１４】
ノイズ領域判定部７は、ブロックノイズとして認識される符号化ブロックの出現を判定する処理デバイスである。この形態例の場合、ノイズ領域判定部７は、平均値算出部７１、標準偏差算出部７３及びブロックノイズ領域判定部７５で構成する。なお、ブロックノイズとは、画像の一部分がモザイク状に見える現象をいう。
【００１５】
高効率符号化方式では、一般に高い周波数成分を省略することで圧縮効率を高める手法が用いられる。代表例に、離散コサイン変換（ＤＣＴ）がある。勿論、情報量に対して圧縮率が適切であればブロックノイズは知覚されずに済む。しかし、情報量や伝送帯域の制限等の関係でブロックノイズが出現することがある。
【００１６】
平均値算出部７１は、各符号化ブロックの平均階調値を算出する処理デバイスである。この形態例の場合、平均値算出部７１は、符号化ブロックを構成する６４個の画素値（階調値）の平均値を算出する。算出された平均階調値は、標準偏差算出部７３とブロックノイズ領域判定部７５に出力される。
【００１７】
標準偏差算出部７３は、各符号化ブロックの標準偏差値を算出する処理デバイスである。標準偏差値の算出自体は既知であるので詳細は省略するが、次式のような演算を実行する。
標準偏差値＝√｛（Σ（画素階調n−平均階調値）2 ／６４｝
【００１８】
なお、画素階調n は、符号化ブロックを構成する６４個の画素のうちの一つの画素の階調値を意味する。演算子Σは、画素階調値と平均階調値との差分値の二乗値を画素数分（６４個）加算することを意味する。勿論、分母の“６４”は、符号化ブロックを構成する画素数を意味する。
【００１９】
ブロックノイズ領域判定部７５は、算出された平均階調値と標準偏差値とに基づいて、対応する符号化ブロックがブロックノイズ領域であるか非ブロックノイズ領域であるかを判定する処理デバイスである。
【００２０】
この形態例の場合、ブロックノイズ領域は、算出された平均階調値が判定しきい値（平均値用）より低く、かつ、算出された標準偏差値が判定しきい値（標準偏差用）より小さい場合として定義する。すなわち、符号化ブロックが全体的に暗く、かつ、領域全体が一様な画像の場合にブロックノイズ領域と判定する。
【００２１】
従って、この形態例の場合には、平均階調値が小さくても標準偏差値が大きい場合や標準偏差値が小さくても平均階調値が大きい場合には、非ブロックノイズ領域と判定する。
この判定に使用する２つの判定しきい値は、ブロックノイズ領域判定部７５に外部より与えられるものとする。もっとも、判定しきい値を内蔵することも可能である。
【００２２】
映像信号出力部９は、判定結果に基づいて出力する映像信号を符号化ブロック単位で切り替え制御する処理デバイスである。この形態例の場合、映像信号出力部９は、消費電力制御部９１とフレームメモリ９３で構成される。
【００２３】
消費電力制御部９１は、非ブロックノイズ領域と判定された符号化ブロックについては入力映像信号の出力を指示し、ブロックノイズ領域と判定された符号化ブロックについては、入力映像信号に比して階調値の小さい単階調信号に置換する処理デバイスである。
【００２４】
この形態例の場合、フレームメモリ９３に蓄積された入力映像信号のうちブロックノイズ領域と判定された符号化ブロック部分が黒レベル（階調値０）データに置換される。これにより、ブロックノイズ領域は黒色ベタ画面に変換される。
【００２５】
フレームメモリ９３は、ブロックノイズが判定処理されている間、１〜数フレーム分の入力映像信号を蓄積する記憶領域又は記憶デバイスである。この形態例の場合、物理的な記憶媒体には、半導体メモリを使用する。
【００２６】
なお、このフレームメモリ９３から読み出された映像信号（ブロックノイズが含まれる場合には符号化ブロック単位で置換された黒レベルデータを含む。）が表示装置１１１に出力される。この形態例の場合、表示装置１１１には、自発光表示装置である有機ＥＬ表示装置を適用する。
【００２７】
（Ａ−２）消費電力の削減動作
以下、具体的な表示画面を用い、消費電力削減装置１の処理動作を説明する。
ここでは、図３に示す画像に対応する入力映像信号が消費電力削減装置１に入力された場合を想定する。
【００２８】
なお、図３は作図の観点からブロックノイズを強調して表しているが、実際の輝度差はごくわずかである。
また、図３の場合、個々の符号化ブロックを正方形領域で表している。なお、図３は画面全体が水平方向に１８個の符号化ブロックと垂直方向に１３個の符号化ブロックとで構成される場合の表示例である。
【００２９】
図３の場合、画面全体にブロックノイズが現れている。従って、ブロックノイズ領域判定部７５は、これらブロックノイズ領域を判定し、黒レベルデータに置換する動作を実行する。ただし、文字列が表示される画面中央だけは標準偏差値が判定しきい値以上になり、非ブロックノイズ領域と判定される。
【００３０】
図４が、消費電力削減装置１から出力される表示画面例である。図４に示すように、文字列が存在する画面中央を除く全ての領域が黒画面に変換される。すなわち、消灯制御される。
【００３１】
図３と図４を比較して分かるように、ブロックノイズ領域部分の画像情報は消費電力削減処理により完全に失われる。しかし、この画像情報は、入力時のまま表示してもブロックノイズとして知覚されるのであるから問題はない。
【００３２】
また、ブロックノイズ領域の消灯制御により、有機ＥＬ素子には電流が流れない。すなわち、同領域部分の発光に伴い消費される電力を非ブロックノイズ領域部分だけに削減することができる。消灯制御されるブロックノイズ領域の数が多いほど、消費電力の削減効果は大きくなる。
【００３３】
また、非ブロックノイズ領域と判定された符号化ブロック（６４画素分）には、一律に黒レベル（階調値０）が書き込まれる。このため、対応画素に対する階調値を書き込む際に消費される電力も削減できる。
【００３４】
（Ｂ）他の形態例
（Ｂ−１）消費電力削減装置の他の構成例
前述の形態例においては、平均階調値と標準偏差値を判定基準に用い、判定対象とする符号化ブロックがブロックノイズ領域か否かを判定する場合について説明した。しかし、他の実現方法も考えられる。
【００３５】
（ａ）変形例１
例えば標準偏差値だけを基準に判定対象とする符号化ブロックがブロックノイズ領域か否かを判定しても良い。
図５に、消費電力削減装置１２１の機能構成例を示す。なお、図５は、図１との対応部分に同一符号を付して現している。
【００３６】
消費電力削減装置１２１は、フレームメモリ３、エリア分割部５、ノイズ領域判定部１２３及び映像信号出力部９で構成される。
ノイズ領域判定部１２３を構成する処理デバイス自体は、図１に示すノズル領域判定部７と同じである。ただし、図５の場合、平均値算出部７１で算出された平均階調値は、標準偏差値算出部７３にのみ供給される。
【００３７】
従って、ブロックノイズ領域判定部１２５は、算出された平均階調値のみに基づいて、対応する符号化ブロックがブロックノイズ領域であるか非ブロックノイズ領域であるかを判定する。この場合、平均階調値の情報が無視される。このため、標準偏差値が小さい符号化ブロックは、全てブロックノイズ領域と判定される。
【００３８】
従って、標準階調値だけを判定基準とする場合には、明るい画面部分も含めて黒画面に変換される。結果的に、消費電力の削減効果を更に高めることができる。
【００３９】
（ｂ）変形例２
例えばブロックノズル領域と判定された各符号化ブロックを、同符号化ブロックについて算出された平均階調値より標準偏差値だけ小さい値以下の値に設定しても良い。
【００４０】
図６に、消費電力削減装置１３１の機能構成例を示す。なお、図６は、図１との対応部分に同一符号を付して示す。
消費電力削減装置１３１は、フレームメモリ３、エリア分割部５、ノイズ領域判定部１３３及び映像信号出力部１４１で構成される。
【００４１】
ノイズ領域判定部１３３を構成する処理デバイス自体は、図１に示すノズル領域判定部７と同じである。ただし、図６の場合、ブロックノイズ領域判定部１３５は、ブロックノイズ領域と判定された符号化ブロックの平均階調値より標準偏差値を減算した値を置換値として映像信号出力部１４１（消費電力制御部１４３）に供給する。
【００４２】
消費電力制御部１４３は、ブロックノイズ領域に対応する符号化ブロックを各符号化ブロックを構成する入力映像信号に基づいて算出された非０（ゼロ）の単一階調値に置換制御する。
【００４３】
結果的に、表示装置の画面上には入力映像信号をそのまま表示する場合に比して同領域の濃度を薄くしたような低輝度画像に変換される。この削減動作の実行により、符号化ブロック間の輝度差は縮小し、その分だけブロックノイズが知覚され難くなる。また、消費電力も入力映像信号をそのまま表示する場合に比して低下できる。
【００４４】
（ｃ）変形例３
例えばブロックノズル領域と判定された全ての符号化ブロックの平均階調値より標準偏差値だけ小さい値以下に設定しても良い。すなわち、ブロックノイズ領域と判定された全ての符号化ブロックを非黒レベルの単一階調値に設定しても良い。この点が、変形例２との違いである。
【００４５】
図７に、消費電力削減装置１５１の機能構成例を示す。なお、図７は、図１との対応部分に同一符号を付して示す。
消費電力削減装置１５１は、フレームメモリ３、エリア分割部５、ノイズ領域判定部７、平均値算出部１５３、標準偏差算出部１５５及び映像信号出力部１６１で構成される。
【００４６】
この変形例に新規の構成は、平均値算出部１５３、標準偏差算出部１５５及び映像信号出力部１６１の３つである。
平均値算出部１５３は、ブロックノイズ領域と判定された全ての符号化ブロックの平均階調値を算出する処理デバイスである。
【００４７】
標準偏差算出部１５５は、ブロックノイズ領域と判定された全ての符号化ブロックの標準階調値を算出する処理デバイスである。
消費電力制御部１６３は、ブロックノイズ領域と判定された領域で置換する階調値の算出（非ゼロ）と算出された値による入力映像信号の置換処理を実行する処理デバイスである。
【００４８】
この変形例の場合、図８に示すように、ブロックノイズ領域と判定された全ての符号化ブロックを画面全体で同じ階調値に変換される。結果的に、ブロックノイズを消すと同時に、消費電力も入力映像信号をそのまま表示する場合に比して低下できる。
【００４９】
（Ｂ−２）実装例
ここでは、前述した消費電力削減装置の電子機器への実装例を説明する。
【００５０】
（ａ）自発光表示装置への実装
前述した消費電力削減装置は、図９に示すように、表示装置１７１に実装することもできる。
図９に示す表示装置１７１は、表示デバイス１７３と消費電力削減装置１７５を搭載する。
【００５１】
なお、消費電力削減装置１７５は小規模回路にて実現できる。このため、消費電力削減装置１７５は、表示デバイス１７３に実装されるＩＣ（integrated circuit）等の一部に格納することもできる。
例えば図１０に示すデバイス構造の表示デバイス１７３の場合、消費電力削減装置１７５は、タイミングジェネレータ１８１の一部分に実装することができる。
【００５２】
このように、既存の処理回路の一部に実装すれば、レイアウト変更や実装空間の変更を必要としない。従って、製造コストの面でも効果的である。
なお、図１０に示す表示デバイス１７３は、タイミングジェネレータ１８１、データドライバ１８３、スキャンドライバ１８５及び表示パネル１８７で構成される。
【００５３】
タイミングジェネレータ１８１は、映像信号に含まれるタイミング信号に基づいて画面表示に必要な各種のタイミング信号を発生する処理デバイスである。例えば書き込みパルス等を発生する。
【００５４】
データドライバ１８３は、表示パネル１８７のデータ線を駆動する回路デバイスである。データドライバ１８３は、各画素の発光輝度を指定する階調値をアナログ電圧値に変換し、データ線に供給する動作を実行する。ここでの階調値が消費電力削減装置１７５で処理された後の階調値である。
【００５５】
スキャンドライバ１８５は、階調値を書き込む水平ラインを線順次に選択する回路デバイスである。この選択信号が前述した書き込みパルスとして、表示パネル１８７に出力される。
表示パネル１８７は、自発光素子を発光面にマトリクス状に配置した周知の表示デバイスである。
【００５６】
（ｂ）画像処理装置
前述した消費電力削減装置は、図１１に示すように、表示装置１９１に映像信号を供給する外部装置としての画像処理装置２０１に実装することもできる。
【００５７】
図１１に示す画像処理装置２０１は、画像処理部２０３と消費電力削減装置２０５で構成される。なお、画像処理部２０３の処理内容は、画像処理装置２０１で実行されるアプリケーションに依存する。
【００５８】
なお、この画像処理装置２０１は、表示装置１９１に直接接続する場合だけでなく、図１２に示すように送信装置２１１に接続したり、図１３に示すように記録装置２２１に接続しても良い。
【００５９】
ここで、送信装置２１１は、伝送規格に応じた信号形態で映像信号を伝送路に送信する機能を実現する。また、記録装置２２１は、記録規格に応じた信号形態で営造し号を記録媒体に記憶する機能を実現する。
【００６０】
すなわち、映像信号の符号化直後にブロックノイズ領域が検出された場合、当該領域に対応する符号化ブロックの階調値を事前に低下しておくことにより、受信装置や再生装置で再生された映像信号が表示装置に表示される際に消費される電力の低下を実現できる。
【００６１】
（ｃ）電子機器
前述した消費電力削減装置は、自発光表示装置を搭載する各種の電子機器に搭載することができる。なお、ここでの電子機器は、可搬型であるか据え置き型かを問わない。また、自発光表示装置は必ずしも電子機器に搭載しなくても良い。
【００６２】
（ｃ１）消費電力削減装置
消費電力削減装置は、放送波受信装置に搭載することができる。
図１４に、放送波受信装置の機能構成例を示す。放送波受信装置２３１は、表示パネル２３３、システム制御部２３５、操作部２３７、記憶媒体２３９、電源２４１及びチューナー２４３を主要な構成デバイスとする。
【００６３】
なお、システム制御部２３５は、例えばマイクロプロセッサで構成される。システム制御部２３５は、システム全体の動作を制御する。操作部２３７は、機械式の操作子の他、グラフィックユーザーインターフェースも含む。
【００６４】
記憶媒体２３９は、表示パネル２３３に表示する画像や映像に対応するデータの他、ファームウェアやアプリケーションプログラムの格納領域として用いられる。電源２４１は、放送波受信装置２３１が可搬型の場合にはバッテリー電源を使用する。勿論、放送波受信装置２３１が据え置き型の場合には商用電源を使用する。
【００６５】
チューナー２４３は、到来する放送波の中からユーザーの選局した特定チャネルの放送波を選択的に受信する装置である。
この放送波受信装置の構成は、例えばテレビジョン番組受信機、ラジオ番組受信機に適用する場合に用いることができる。
【００６６】
（ｃ２）通信装置
図１５は、通信装置に適用する場合の機能構成例である。通信装置２５１は、表示パネル２５３、システム制御部２５５、操作部２５７、記憶媒体２５９、電源２６１及び通信部２６３を主要な構成デバイスとする。
【００６７】
なお、システム制御部２５５は、例えばマイクロプロセッサで構成される。システム制御部２５５は、システム全体の動作を制御する。操作部２５７は、機械式の操作子の他、グラフィックユーザーインターフェースも含む。
【００６８】
記憶媒体２５９は、表示パネル２５３に表示する画像や映像に対応するデータファイルの他、ファームウェアやアプリケーションプログラムの格納領域として用いられる。電源２６１は、通信装置２５１が可搬型の場合にはバッテリー電源を使用する。勿論、通信装置２５１が据え置き型の場合には商用電源を使用する。
【００６９】
通信部２６３は、他機との間でデータを送受信する無線装置である。この通信装置の構成は、例えば据え置き型の電話機や携帯電話機に適用する場合に用いることができる。
【００７０】
（ｃ３）撮像装置
図１６は、撮像装置に適用する場合の機能構成例である。撮像装置２７１は、表示パネル２７３、システム制御部２７５、操作部２７７、記憶媒体２７９、電源２８１及び撮像部２８３を主要な構成デバイスとする。
【００７１】
なお、システム制御部２７５は、例えばマイクロプロセッサで構成される。システム制御部２７５は、システム全体の動作を制御する。操作部２７７は、機械式の操作子の他、グラフィックユーザーインターフェースも含む。
【００７２】
記憶媒体２７９は、表示パネル２７３に表示する画像や映像に対応するデータファイルの他、ファームウェアやアプリケーションプログラムの格納領域として用いられる。電源２８１は、撮像装置２７１が可搬型の場合にはバッテリー電源を使用する。勿論、撮像装置２７１が据え置き型の場合には商用電源を使用する。
【００７３】
撮像部２８３は、例えばＣＭＯＳセンサーとその出力信号を処理する信号処理部で構成する。この撮像装置の構成は、例えばデジタルカメラ、ビデオカメラ等に適用する場合に用いることができる。
【００７４】
（ｃ４）情報処理装置
図１７は、携帯型の情報処理装置に適用する場合の機能構成例である。情報処理装置２９１は、表示パネル２９３、システム制御部２９５、操作部２９７、記憶媒体２９９及び電源３０１を主要な構成デバイスとする。
【００７５】
なお、システム制御部２９５は、例えばマイクロプロセッサで構成される。システム制御部２９５は、システム全体の動作を制御する。操作部２９７は、機械式の操作子の他、グラフィックユーザーインターフェースも含む。
【００７６】
記憶媒体２９９は、表示パネル２９３に表示する画像や映像に対応するデータファイルの他、ファームウェアやアプリケーションプログラムの格納領域として用いられる。電源３０１は、情報処理装置２９１が可搬型の場合にはバッテリー電源を使用する。勿論、情報処理装置２９１が据え置き型の場合には商用電源を使用する。
【００７７】
この情報処理装置の構成は、例えばゲーム機、電子ブック、電子辞書、コンピュータ等に適用する場合に用いることができる。
【００７８】
（Ｂ−３）表示装置
前述の形態例では、表示デバイスが自発光表示装置の一つである有機ＥＬ表示素子であるものとして説明した。
【００７９】
ここでの表示装置には、その他の自発光表示装置である無機ＥＬディスプレイ装置、ＦＥＤディスプレイ装置、ＰＤＰディスプレイ装置だけでなく、非自発光表示装置である液晶表示装置、プロジェクタ装置にも適用できる。
【００８０】
なお、非自発光表示装置の場合、発光素子の発光量の低下に伴う消費電力の削減効果は期待できないが、少なくともブロックノイズ領域の各画素に画素データを書き込む際の消費電力を削減することができる。
【００８１】
（Ｂ−４）コンピュータプログラム
前述の形態例で説明した消費電力削減装置は、処理機能の全てをハードウェア又はソフトウェアで実現するだけでなく、ハードウェアとソフトウェアの機能分担により実現することもできる。
【００８２】
（Ｂ−５）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【００８３】
【図１】消費電力削減装置の機能構成例を示す図である。
【図２】符号化ブロック例を示す図である。
【図３】消費電力の削減処理前の表示画面例を示す図である。
【図４】消費電力の削減処理後の表示画面例を示す図である。
【図５】消費電力削減装置の他の機能構成例を示す図である。
【図６】消費電力削減装置の他の機能構成例を示す図である。
【図７】消費電力削減装置の他の機能構成例を示す図である。
【図８】消費電力の削減処理後の表示画面例を示す図である。
【図９】消費電力削減装置の実装例を説明する図である。
【図１０】表示デバイスのデバイス構造例を説明する図である。
【図１１】消費電力削減装置の実装例を説明する図である。
【図１２】消費電力削減装置の実装例を説明する図である。
【図１３】消費電力削減装置の実装例を説明する図である。
【図１４】消費電力削減装置の電子機器への搭載例を説明する図である。
【図１５】消費電力削減装置の電子機器への搭載例を説明する図である。
【図１６】消費電力削減装置の電子機器への搭載例を説明する図である。
【図１７】消費電力削減装置の電子機器への搭載例を説明する図である。
【符号の説明】
【００８４】
１        消費電力削減装置
３        フレームメモリ
５        エリア分割部
７        ノイズ領域判定部
７１      平均値算出部
７３      標準値算出部
７５      ブロックノイズ領域判定部
９        映像信号出力部
９１      消費電力制御部
９３      フレームメモリ
１１１    表示装置
【図１】
2008046346.tif 000003
【図２】
2008046346.tif 000004
【図３】
2008046346.tif 000005
【図４】
2008046346.tif 000006
【図５】
2008046346.tif 000007
【図６】
2008046346.tif 000008
【図７】
2008046346.tif 000009
【図８】
2008046346.tif 000010
【図９】
2008046346.tif 000011
【図１０】
2008046346.tif 000012
【図１１】
2008046346.tif 000013
【図１２】
2008046346.tif 000014
【図１３】
2008046346.tif 000015
【図１４】
2008046346.tif 000016
【図１５】
2008046346.tif 000017
【図１６】
2008046346.tif 000018
【図１７】
2008046346.tif 000019